(57)【要約】【課題】患者と薬剤師のどちらにも負担をかけることなく患者に関する医療情報を薬剤師と共有することができる情報共有サーバ、情報共有システム、情報共有方法、および情報共有プログラムを提供する。【解決手段】送受信部１０１は、患者識別情報と医療情報とを受信し、医療情報格納部１０２は、受信した医療情報を医療情報記憶部１１０に格納し、通知情報生成部１０３は、医療情報が格納された旨とを含む通知情報を生成し、送受信部１０１は、患者識別情報に対応付けられた通知方法および通知先を通知先情報記憶部１３０から取得し、取得した通知先に通知情報を前記通知方法によって送信する。【選択図】図1
2018018436.tif 000002
【特許請求の範囲】
【請求項１】
患者に関する医療情報を記憶する第１医療情報記憶手段と、
前記患者を識別する患者識別情報と、通知方法と、通知先とを対応付けて記憶する通知先情報記憶手段と、
前記患者識別情報と、前記医療情報とを受信する受信手段と、
前記受信手段によって受信した前記医療情報を前記第１医療情報記憶手段に格納する格納手段と、
前記医療情報が格納された旨を含む通知情報を生成する通知情報生成手段と、
前記患者識別情報に対応付けられた前記通知方法および前記通知先を前記通知先情報記憶手段から取得し、取得した前記通知先に前記通知情報を前記通知方法によって送信する送信手段と、
を備えることを特徴とする情報共有サーバ。
【請求項２】
医療関係者の操作する情報端末装置からアクセス可能であり、かつ、前記医療情報を記憶する第２医療情報記憶手段、をさらに備え、
前記格納手段は、前記受信手段によって受信した前記医療情報を前記第１医療情報記憶手段に格納し、さらに前記医療情報を複製し前記第２医療情報記憶手段に格納すること、を特徴とする請求項１に記載の情報共有サーバ。
【請求項３】
薬局で操作する情報端末装置からアクセス可能であり、かつ、前記医療情報を記憶する第３医療情報記憶手段、をさらに備え、
前記受信手段は、前記薬局で操作する情報端末装置から送信された、前記患者識別情報と、前記医療情報とを受信し、
前記格納手段は、前記受信手段によって受信した前記医療情報を前記第３医療情報記憶手段に格納し、さらに前記医療情報を複製し前記第１医療情報記憶手段に格納すること、を特徴とする請求項１に記載の情報共有サーバ。
【請求項４】
前記受信手段は、前記患者の操作する携帯端末装置で印刷物に印刷されたＱＲコードから読み取った前記医療情報を受信すること、を特徴とする請求項１または請求項２に記載の情報共有サーバ。
【請求項５】
前記医療情報が所定の判断基準に合致しているか否かを判断する判断手段、をさらに備え、
前記通知情報生成手段は、前記判断手段によって前記医療情報が所定の判断基準に合致していない場合に、前記判断手段による判断結果を加えた前記通知情報を生成すること、を特徴とする請求項１〜５のいずれか１つに記載の情報共有サーバ。
【請求項６】
患者の操作する携帯端末装置と、薬局の操作する情報端末装置からアクセス可能であり、かつ、前記患者に関する医療情報を記憶する第１医療情報記憶部と、薬剤師の操作する情報端末装置からアクセス可能であり、かつ、前記医療情報を記憶する第２医療情報記憶部とを備える情報共有サーバとをネットワークを介して接続する情報共有システムであって、
前記携帯端末装置は、
前記第１医療情報記憶部に記憶する前記医療情報に対するダウンロード要求に応じ、前記医療情報を受信する第１受信手段と、
前記第１受信手段によって受信した前記医療情報と、前記患者を識別する患者識別情報とを、前記第２医療情報記憶部に送信する第１送信手段と、を備え、
前記情報共有サーバは、
前記患者識別情報と、通知方法と、通知先とを対応付けて記憶する通知先情報記憶手段と、
前記携帯端末装置から前記医療情報と、前記患者識別情報とを受信する第２受信手段と、
前記第２受信手段によって受信した前記医療情報を前記第２医療情報記憶部に格納する格納手段と、
前記医療情報が格納された旨を含む通知情報を生成する通知情報生成手段と、
前記患者識別情報に対応付けられた前記通知方法および前記通知先を前記通知先情報記憶手段から取得し、取得した前記通知先に前記通知情報を前記通知方法によって送信する第２送信手段と、
を備えることを特徴とする情報共有システム。
【請求項７】
前記情報共有サーバは、
前記医療情報が所定の判断基準に合致しているか否かを判断する判断手段、をさらに備え、
前記通知情報生成手段は、前記判断手段によって前記医療情報が所定の判断基準に合致していない場合に、前記判断手段による判断結果を加えた前記通知情報を生成すること、を特徴とする請求項６に記載の情報共有システム。
【請求項８】
情報共有サーバで実行される情報共有方法であって、
患者に関する医療情報を記憶する第１医療情報記憶手段と、
前記患者を識別する患者識別情報と、通知方法と、通知先とを対応付けて記憶する通知先情報記憶手段と、を備え、
前記患者識別情報と、前記医療情報とを受信する受信ステップと、
前記受信ステップによって受信した前記医療情報を前記第１医療情報記憶手段に格納する格納ステップと、
前記医療情報が格納された旨を含む通知情報を生成する通知情報生成ステップと、
前記患者識別情報に対応付けられた前記通知方法および前記通知先を前記通知先情報記憶手段から取得し、取得した前記通知先に前記通知情報を前記通知方法によって送信する送信ステップと、
を含むことを特徴とする情報共有方法。
【請求項９】
患者の操作する携帯端末装置と、薬局の操作する情報端末装置からアクセス可能であり、かつ、前記患者に関する医療情報を記憶する第１医療情報記憶部と、薬剤師の操作する情報端末装置からアクセス可能であり、かつ、前記医療情報を記憶する第２医療情報記憶部とを備える情報共有サーバとをネットワークを介して接続する情報共有システムで実行される情報共有方法であって、
前記携帯端末装置は、
前記第１医療情報記憶部に記憶する前記医療情報に対するダウンロード要求に応じ、前記医療情報を受信する第１受信ステップと、
前記第１受信ステップによって受信した前記医療情報と、前記患者を識別する患者識別情報とを、前記第２医療情報記憶部に送信する第１送信ステップと、を含み、
前記情報共有サーバは、
前記患者識別情報と、通知方法と、通知先とを対応付けて記憶する通知先情報記憶手段、を備え、
前記携帯端末装置から前記医療情報と、前記患者識別情報とを受信する第２受信ステップと、
前記第２受信ステップによって受信した前記医療情報を前記第２医療情報記憶部に格納する格納ステップと、
前記医療情報が格納された旨を含む通知情報を生成する通知情報生成ステップと、
前記患者識別情報に対応付けられた前記通知方法および前記通知先を前記通知先情報記憶手段から取得し、取得した前記通知先に前記通知情報を前記通知方法によって送信する第２送信ステップと、
を含むことを特徴とする情報共有方法。
【請求項１０】
患者に関する医療情報を記憶する第１医療情報記憶手段と、
前記患者を識別する患者識別情報と、通知方法と、通知先とを対応付けて記憶する通知先情報記憶手段と、を備える情報共有サーバに、
前記患者識別情報と、前記医療情報とを受信する受信ステップと、
前記受信ステップによって受信した前記医療情報を前記第１医療情報記憶手段に格納する格納ステップと、
前記医療情報が格納された旨を含む通知情報を生成する通知情報生成ステップと、
前記患者識別情報に対応付けられた前記通知方法および前記通知先を前記通知先情報記憶手段から取得し、取得した前記通知先に前記通知情報を前記通知方法によって送信する送信ステップと、
を実行させることを特徴とする情報共有プログラム。
【請求項１１】
患者の操作する携帯端末装置と、薬局の操作する情報端末装置からアクセス可能であり、かつ、前記患者に関する医療情報を記憶する第１医療情報記憶部と、薬剤師の操作する情報端末装置からアクセス可能であり、かつ、前記医療情報を記憶する第２医療情報記憶部とを備える情報共有サーバとをネットワークを介して接続する情報共有システムであって、
前記携帯端末装置に、
前記第１医療情報記憶部に記憶する前記医療情報に対するダウンロード要求に応じ、前記医療情報を受信する第１受信ステップと、
前記第１受信ステップによって受信した前記医療情報と、前記患者を識別する患者識別情報とを、前記第２医療情報記憶部に送信する第１送信ステップと、実行させ、
前記患者識別情報と、通知方法と、通知先とを対応付けて記憶する通知先情報記憶手段、を備える前記情報共有サーバに、
前記携帯端末装置から前記医療情報と、前記患者識別情報とを受信する第２受信ステップと、
前記第２受信ステップによって受信した前記医療情報を前記第２医療情報記憶部に格納する格納ステップと、
前記医療情報が格納された旨を含む通知情報を生成する通知情報生成ステップと、
前記患者識別情報に対応付けられた前記通知方法および前記通知先を前記通知先情報記憶手段から取得し、取得した前記通知先に前記通知情報を前記通知方法によって送信する第２送信ステップと、
を実行させることを特徴とする情報共有プログラム。
【発明の詳細な説明】
【技術分野】
【０００１】
本発明は、情報共有サーバ、情報共有システム、情報共有方法、および情報共有プログラムに関する。
【背景技術】
【０００２】
近年、医薬分業が進められ医師と薬剤師がそれぞれの専門分野で業務を分担し国民医療の質的向上が図られている。薬剤師については、医療機関で発行された処方箋に基づき調剤するだけでなく、その専門性を活かし患者の服薬情報を管理し飲み合わせや残薬管理なども担える「かかりつけ薬剤師」として活躍することが求められている。そのような服薬情報を管理するために、ＩＣＴ技術も活用されており、患者の医療情報や健康情報を閲覧・管理することができる電子お薬手帳端末と薬歴を管理する薬歴管理装置とが連携する技術が開示されている（特許文献１参照）。
【先行技術文献】
【特許文献】
【０００３】
【特許文献１】特開2015-079492号公報
【発明の概要】
【発明が解決しようとする課題】
【０００４】
しかしながら、上述した公報に記載した技術では、患者はサーバに記憶する薬歴をいつでも確認することはできるが、患者が１つまたは複数の医療機関を受診し投薬を受けた際に、かかりつけ薬剤師は担当の患者にどのような投薬をされたのかを知ることができず、患者が自らかかりつけ薬剤師に対し処方箋を提示し相談しなければアドバイスを受けることができないという問題があった。また、このようなかかりつけ薬剤師への相談は、患者の意思や都合によって行なわれるため、適切なタイミングで薬剤師の知見を活用することができないという問題があった。
【０００５】
本発明は、上記に鑑みてなされたものであり、患者と薬剤師のどちらにも負担をかけることなく患者に関する医療情報を薬剤師と共有することができる情報共有サーバ、情報共有システム、情報共有方法、および情報共有プログラムを提供することを目的とする。
【課題を解決するための手段】
【０００６】
上述した課題を解決するために、本発明では、患者識別情報と、医療情報とを受信し、受信した医療情報を第１医療情報記憶手段に格納し、医療情報が格納された旨を含む通知情報を生成し、患者識別情報に対応付けられた通知方法および通知先を通知先情報記憶手段から取得し、取得した通知先に通知情報を通知方法によって送信することを特徴とする。
【０００７】
また、本発明の他の態様では、携帯端末装置は、第１医療情報記憶部に記憶する医療情報に対するダウンロード要求に応じ、医療情報を受信し、受信した医療情報と、患者を識別する患者識別情報とを、第２医療情報記憶部に送信し、情報共有サーバは、携帯端末装置から医療情報と、患者識別情報とを受信し、受信した医療情報を第２医療情報記憶部に格納し、医療情報が格納された旨を含む通知情報を生成し、患者識別情報に対応付けられた通知方法および通知先を通知先情報記憶手段から取得し、取得した通知先に通知情報を通知方法によって送信することを特徴とする。
【発明の効果】
【０００８】
上記のように構成した本発明によれば、患者と薬剤師のどちらにも負担をかけることなく患者に関する医療情報を薬剤師と共有することができるという効果を奏する。
【図面の簡単な説明】
【０００９】
【図１】本実施例にかかる情報共有システム１０の構成例を示すブロック図である。
【図２】管理情報記憶部１２０のデータ構成の一例を示す説明図である。
【図３】通知先情報記憶部１３０のデータ構成の一例を示す説明図である。
【図４】情報共有サーバ１００と情報端末装置２００と情報端末装置３００で実行する情報共有処理手順を示すフローチャートである。
【図５】情報共有サーバ１００と情報端末装置３００と携帯端末装置４００で実行する情報共有処理手順を示すフローチャートである。
【図６】情報共有サーバ１００と情報端末装置２００と情報端末装置３００と携帯端末装置４００で実行する情報共有処理手順を示すフローチャートである。
【図７】情報共有サーバ１００と情報端末装置２００と情報端末装置３００と携帯端末装置４００で実行する情報共有処理手順を示すフローチャートである。
【発明を実施するための形態】
【００１０】
以下、添付図面を参照し本発明の実施例を説明する。なお、以下の説明は、実施の形態の一例であり、本発明は、これらの実施例に限定されるものではない。
【実施例１】
【００１１】
図１は、本実施例にかかる情報共有システム１０の構成例を示すブロック図である。情報共有システム１０は、情報共有サーバ１００と、薬局で操作する情報端末装置２００と、薬剤師が操作する情報端末装置３００と、患者が操作する携帯端末装置４００とを備え、これらの装置はネットワークＮを介し互いに通信可能に接続する。ネットワークＮは、インターネット、イントラネット、ＬＡＮ（Local Area Network）、移動体通信網等の通信ネットワークである。
【００１２】
まず、情報共有サーバ１００について説明する。情報共有サーバ１００は、患者の医療情報（例えば処方箋情報）を記憶し管理するサーバであり、患者の医療情報を格納する際に患者が指定する薬剤師、いわゆるかかりつけ薬剤師に通知情報を通知するサーバである。
【００１３】
情報共有サーバ１００は、送受信部１０１と、医療情報格納部１０２と、通知情報生成部１０３と、医療情報判断部１０４と、医療情報記憶部１１０と、管理情報記憶部１２０と、通知先情報記憶部１３０とを備える。
【００１４】
医療情報記憶部１１０は、患者の医療情報を記載したファイル（一例として処方箋情報を記載したファイルであり、以下処方箋情報と記載して説明する）を記憶する記憶領域であり、その領域は、患者が管理する記憶領域、薬局が管理する記憶領域、薬剤師が管理する記憶領域に分かれる。各記憶領域は、患者のディレクトリ、薬局のディレクトリ、薬剤師のディレクトリによって管理し、フォルダに読み出し可不可、書込み可不可等のアクセス権を設定することによって記憶領域に対するアクセスを制御する。なお、各記憶領域は、１つのサーバに限らず複数のサーバで構成してもよい。
【００１５】
図２は、管理情報記憶部１２０のデータ構成の一例を示す説明図である。管理情報記憶部１２０は、患者、薬剤師、薬局それぞれの記憶領域を記憶する。管理情報記憶部１２０は、利用者識別情報と、記憶領域のディレクトリとを対応付けて記憶する。利用者識別情報は、患者、薬剤師または薬局を識別する情報である。記憶領域のディレクトリは、利用者それぞれが管理する医療情報記憶部１１０上の記憶領域である。
【００１６】
図３は、通知先情報記憶部１３０のデータ構成の一例を示す説明図である。通知先情報記憶部１３０は、医療情報記憶部１１０に医療情報を格納した旨を通知する通知先に関する情報を記憶する。通知先情報記憶部１３０は、患者識別情報と、医療関係者識別情報と、通知方法と、通知先とを対応付けて記憶する。
【００１７】
ここで、患者識別情報は、医療情報記憶部１１０に医療情報を記憶する患者を識別する情報である。医療関係者識別情報は、患者が自身の医療情報へのアクセスを許可する医療関係者（一例としてかかりつけ薬剤師）を識別する情報を記憶する。なお、かかりつけ薬剤師を記憶するためには、前提として患者と薬剤師との間でかかりつけ薬剤師の契約を結んだうえで医療関係者識別情報を記憶する。
【００１８】
通知方法は、医療関係者に通知する通知方法であり、例えばメール、ショートメッセージ、チャット等を記憶する。通知先は、通知情報を送信する宛先であり、メールであればメールアドレス、ショートメッセージであれば携帯電話番号、チャットであればチャットソフトウェアに登録したユーザＩＤ等を記憶する。なお、その他の情報として医療情報に対する許可内容をさらに記憶してもよい。許可内容として、患者の記憶領域への閲覧（読出）可不可や書込可不可等を記憶する。患者の記憶領域であるフォルダに対し許可内容を設定するほか、フォルダ下に存在するファイルのうち特定のファイルのみ（例えば処方箋ファイルのみ）等の条件を加え制御してもよい。
【００１９】
送受信部１０１は、薬局で操作する情報端末装置２００、薬剤師の操作する情報端末装置３００、患者の操作する携帯端末装置４００との間でネットワークＮを介しデータを送受信する。送受信部１０１は、情報端末装置２００から送信された、患者識別情報と処方箋情報を受信する。送受信部１０１は、情報端末装置３００に通知情報を送信する。
【００２０】
医療情報格納部１０２は、患者識別情報に対応する記憶領域のディレクトリを管理情報記憶部１２０から取得し、取得した記憶領域のディレクトリ（患者の記憶領域）に処方箋情報を格納する。通知情報生成部１０３は、医療情報記憶部１１０に患者の処方箋情報を格納した旨を通知する通知情報を生成する。
【００２１】
医療情報判断部１０４は、患者の記憶領域に記憶する処方箋情報が所定の判断基準に合致しているか否かを判断する。所定の判断基準とは、薬の飲み合わせや重複投薬等の投薬に関し患者に連絡すべき事項である。
【００２２】
情報端末装置２００は、薬局で操作されるコンピュータであり、情報端末装置２００は、送受信部２０１と、入出力部２０２とを備える。
【００２３】
入出力部２０２は、入力部と出力部を備え、入力部はキーボード、マウス等の入力装置および入力制御部、出力部はディスプレイ等の出力装置および出力制御部である。入力部は、医療機関が発行した処方箋の入力を受付ける。なお、薬局に設置された診療報酬明細書の作成を支援するレセプトコンピュータから出力される処方箋情報を送受信部２０１を介して受信してもよい。
【００２４】
送受信部２０１は、情報共有サーバ１００との間でデータを送受信する。送受信部２０１は、受付けた処方箋情報を患者識別情報とともに情報共有サーバ１００に送信する。  
【００２５】
情報端末装置３００は、医療関係者、本実施例では薬剤師が操作するコンピュータであり、情報端末装置３００は、送受信部３０１と、入出力部３０２とを備える。
【００２６】
送受信部３０１は、情報共有サーバ１００との間でデータを送受信する。送受信部３０１は、情報共有サーバ１００から送信された通知情報を受信する。
【００２７】
入出力部３０２は、入力部と出力部を備え、入力部はキーボード、マウス等の入力装置および入力制御部、出力部はディスプレイ等の出力装置および出力制御部である。入出力部３０２は、情報共有サーバ１００から受信した通知情報を表示する。入出力部３０２は、患者の記憶領域の表示指示を受付け、患者の記憶領域に記憶する処方箋情報を表示する。
【００２８】
携帯端末装置４００は、患者として医療機関を受診した利用者が操作するコンピュータであり、例えばスマートフォン、タブレット端末、ノート型パーソナルコンピュータ等である。携帯端末装置４００は、送受信部４０１と、操作表示部４０２と、ＱＲコード（登録商標）読取部４０３と、医療情報記憶部４１０とを備える。
【００２９】
医療情報記憶部４１０は、患者に関する医療情報を記述したファイル、例えば処方箋情報を記述したファイルを記憶する。送受信部４０１は、情報共有サーバ１００との間でデータを送受信する。操作表示部４０２は、入力部と表示部とからなり、携帯端末装置４００がスマートフォンやタブレット端末の場合は、液晶ディスプレイとタッチセンサを重畳し構成するタッチパネルである。ＱＲコード読取部４０３は、印刷物である処方箋に印刷されたＱＲコードを読取り、読取ったＱＲコードから処方箋情報を取得する。なお、読み取る対象をＱＲコードに限る必要はなく、他の２次元コードやその他のものでもよい。
【００３０】
上述のように構成された情報共有システム１０で実行する情報共有処理について説明する。図４は、情報共有サーバ１００と情報端末装置２００と情報端末装置３００で実行する情報共有処理手順を示すフローチャートである。
【００３１】
情報端末装置２００の入出力部２０２は、患者識別情報と処方箋情報の入力を受付ける（ステップＳ４０１）。送受信部２０１は、患者識別情報と処方箋情報を情報共有サーバ１００に送信する（ステップＳ４０２）。
【００３２】
情報共有サーバ１００の送受信部１０１は、患者識別情報と処方箋情報を情報端末装置２００から受信する（ステップＳ４０３）。医療情報格納部１０２は、薬局の記憶領域に処方箋情報を格納する（ステップＳ４０４）。なお、複数の薬局の記憶領域を備える場合は、薬局を識別する利用者識別情報を情報端末装置２００から受信し、受信した利用者識別情報に対応付けられた記憶領域のディレクトリを管理情報記憶部１２０から取得し、取得した記憶領域のディレクトリに処方箋情報を格納する。
【００３３】
医療情報格納部１０２は、患者識別情報に対応付けられた記憶領域のディレクトリを管理情報記憶部１２０から取得する（ステップＳ４０５）。医療情報格納部１０２は、処方箋情報を複製し（ステップＳ４０６）、取得した患者の記憶領域に処方箋情報を格納する（ステップＳ４０７）。これにより、患者の記憶領域に１また複数の薬局で発行する処方箋情報が次々と格納されることになる。
【００３４】
通知情報生成部１０３は、患者に対応する通知方法と通知先を取得する（ステップＳ４０８）。より具体的には、通知情報生成部１０３は、患者識別情報に対応付けられた通知方法、通知先情報を通知先情報記憶部１３０から取得する。通知情報生成部１０３は、通知情報を生成する（ステップＳ４０９）。より具体的には、通知情報生成部１０３は、患者の記憶領域に新たな処方箋情報が格納された旨を記述した通知情報を生成する。なお、通知情報には、患者の記憶領域のディレクトリのリンクを加えて記述してもよい。送受信部１０１は、通知先を宛先にした通知情報を通知方法、例えばメール送信によって送信する（ステップＳ４１０）。
【００３５】
情報端末装置３００の送受信部３０１は、通知情報を情報共有サーバ１００から受信する（ステップＳ４１１）。さらに通知情報に患者の記憶領域のディレクトリのリンクが記載されていれば、そのリンクを指示することによって、または、情報端末装置３００で患者の記憶領域のディレクトリを管理している場合には、情報端末装置３００で管理する患者に対応する記憶領域のディレクトリに対しアクセスし、患者の記憶領域に記憶する処方箋情報を表示する。
【００３６】
このように、患者が医療機関を受診し医療機関から発行された処方箋を持参し薬局で医薬を処方されるごとに、患者の記憶領域に処方箋情報が格納され、新たな処方箋情報を格納した旨を患者の担当であるかかりつけ薬剤師に通知するため、かかりつけ薬剤師の薬局で調剤した医薬でなくとも患者の服用する薬を把握することができ、時期を逸することなく飲み合わせ確認や重複投薬の確認、服薬指導等を行なうことができる。
【００３７】
また、上述した実施例では、患者の記憶領域に処方箋情報が格納されたタイミングで通知情報をかかりつけ薬剤師に送信するが、さらに医療情報判断部１０４によって所定の判断基準に合致しているか否かを判断してもよい。処方箋情報が複数の処方箋情報から飲み合わせや重複投薬を一定の判断基準でチェックすることによって、所定の判断基準に合致しないと判断された場合、すなわち何らかの問題が発見された場合にのみ通知情報を送信するようにしてもよい。また判断基準も複数を設け、合致する基準に応じた通知情報や通知の有無を制御してもよい。
【００３８】
これにより、かかりつけ薬剤師は、緊急性の高い患者に対しより手厚くサポートをすることができる。また、患者にとっても薬剤師にとっても特に確認の必要のない処方箋情報を、通知情報を送信する段階でフィルタリングすることができるため、患者と薬剤師のいずれの負担も削減することができる。
【００３９】
上述した実施例では、医療情報として、薬局で実際に処方された処方箋情報を例として説明したが、処方箋情報のほかに、医療機関で検査した検査結果、例えば血液検査結果、レントゲンやＣＴ、ＭＲＩの画像データ、診察結果等を医療機関の記憶領域から患者の記憶領域に格納してもよい。
【実施例２】
【００４０】
次に実施例２について説明する。実施例２は、薬局の情報端末装置２００から情報共有サーバ１００に患者の処方箋情報を送信するのではなく、患者の携帯端末装置４００で印刷物である処方箋に印刷されたＱＲコードから処方箋情報を読み取る。図５は、情報共有サーバ１００と情報端末装置３００と携帯端末装置４００で実行する情報共有処理手順を示すフローチャートである。
【００４１】
携帯端末装置４００のＱＲコード読取部４０３は、紙の処方箋に印刷されたＱＲコードを読み取る（ステップＳ５０１）。ＱＲコード読取部４０３は、ＱＲコードから患者識別情報と処方箋情報を取得する（ステップＳ５０２）。送受信部４０１は、患者識別情報と処方箋情報を情報共有サーバ１００に送信する（ステップＳ５０３）。
【００４２】
情報共有サーバ１００の送受信部１０１は、患者識別情報と処方箋情報を携帯端末装置４００から受信する（ステップＳ５０４）。医療情報格納部１０２は、患者の記憶領域に処方箋情報を格納する（ステップＳ５０５）。より具体的には、医療情報格納部１０２は、患者識別情報に対応付けられた記憶領域のディレクトリを管理情報記憶部１２０から取得し、取得した記憶領域のディレクトリに処方箋情報を格納する。医療情報格納部１０２は、患者に対応する薬剤師を取得する（ステップＳ５０６）。より具体的には、医療情報格納部１０２は、患者識別情報に対応付けられた医療関係者識別情報を通知先情報記憶部１３０から取得する。
【００４３】
医療情報格納部１０２は、薬剤師の記憶領域のディレクトリ、すなわち医療関係者識別情報に対応付けられた記憶領域のディレクトリを管理情報記憶部１２０から取得する（ステップＳ５０７）。医療情報格納部１０２は、処方箋情報を複製し（ステップＳ５０８）、取得した薬剤師の記憶領域に処方箋情報を格納する（ステップＳ５０９）。なお、薬剤師が担当する患者が複数である場合は、さらに患者識別情報に対応する患者ごとのフォルダに格納する。
【００４４】
通知情報生成部１０３は、通知方法と通知先を取得する（ステップＳ５１０）。より具体的には、通知情報生成部１０３は、患者識別情報に対応付けられた、医療関係者への通知方法、通知先情報を通知先情報記憶部１３０から取得する。通知情報生成部１０３は、患者の新たな処方箋情報が格納された旨を記述した通知情報を生成する（ステップＳ５１１）。なお、通知情報には、患者の記憶領域のディレクトリのリンクを加えて記述してもよい。送受信部１０１は、通知先を宛先にした通知情報を通知方法によって送信する（ステップＳ５１２）。
【００４５】
情報端末装置３００の送受信部３０１は、通知情報を受信する（ステップＳ５１３）。さらに通知情報に患者の記憶領域のディレクトリのリンクが記載されていれば、そのリンクを指示することによって、または、情報端末装置３００で患者の記憶領域のディレクトリを管理している場合には、情報端末装置３００で管理する患者に対応する記憶領域のディレクトリに対しアクセスし、患者の記憶領域に記憶する処方箋情報を表示する。
【００４６】
このように、携帯端末装置４００でＱＲコードを読込み、情報共有サーバ１００の患者の記憶領域に処方箋情報を格納したうえで処方箋情報を複製し、さらに薬剤師の記憶領域に格納することによって、薬局を介することなくかかりつけ薬剤師と情報共有することができ、患者は薬局に気兼ねすることなくかかりつけ薬剤師を選択することができる。
【実施例３】
【００４７】
次に、実施例３について説明する。実施例３は、まず情報共有サーバ１００に備える薬局の記憶領域に患者の処方箋情報を記憶するとともに、患者が操作する携帯端末装置４００に患者の処方箋情報をダウンロードし、ダウンロードした処方箋情報を薬剤師の記憶領域にアップロードする。図６、図７は、情報共有サーバ１００と情報端末装置２００と情報端末装置３００と携帯端末装置４００で実行する情報共有処理手順を示すフローチャートである。
【００４８】
情報端末装置２００の入出力部２０２は、患者識別情報と処方箋情報の入力を受付ける（ステップＳ６０１）。送受信部２０１は、患者識別情報と処方箋情報を情報共有サーバ１００に送信する（ステップＳ６０２）。
【００４９】
情報共有サーバ１００の送受信部１０１は、患者識別情報と処方箋情報を情報端末装置２００から受信する（ステップＳ６０３）。医療情報格納部１０２は、薬局の記憶領域に処方箋情報を格納する（ステップＳ６０４）。なお、複数の薬局の記憶領域を備える場合は、薬局を識別する利用者識別情報を情報端末装置２００から受信し、受信した利用者識別情報に対応付けられた記憶領域のディレクトリを管理情報記憶部１２０から取得し、取得した記憶領域のディレクトリに処方箋情報を格納する。
【００５０】
医療情報格納部１０２は、患者識別情報に対応付けられた記憶領域のディレクトリを管理情報記憶部１２０から取得する（ステップＳ６０５）。医療情報格納部１０２は、処方箋情報を複製し（ステップＳ６０６）、取得した患者の記憶領域に処方箋情報を格納する（ステップＳ６０７）。これにより、患者の記憶領域に１また複数の薬局で発行する処方箋情報が格納される。
【００５１】
携帯端末装置４００の操作表示部４０２は、患者の記憶領域に記憶する処方箋情報のダウンロード要求を受付ける（ステップＳ６０８）。送受信部４０１は、ダウンロード要求を情報共有サーバ１００に送信する（ステップＳ６０９）。
【００５２】
情報共有サーバ１００の送受信部１０１は、ダウンロード要求を受信する（ステップＳ６１０）。送受信部１０１は、患者の記憶領域に記憶する処方箋情報を取得し、取得した処方箋情報を携帯端末装置４００に送信する（ステップＳ６１１）。
【００５３】
携帯端末装置４００の送受信部４０１は、処方箋情報を受信する（ステップＳ６１２）。送受信部４０１は、受信した処方箋情報を医療情報記憶部４１０に格納する（ステップＳ６１３）。送受信部４０１は、患者識別情報と処方箋情報を情報共有サーバ１００に送信する（ステップＳ６１４）。
【００５４】
情報共有サーバ１００の送受信部１０１は、患者識別情報と処方箋情報を携帯端末装置４００から受信する（ステップＳ６１５）。医療情報格納部１０２は、患者に対応する薬剤師を取得する（ステップＳ６１６）。より具体的には、医療情報格納部１０２は、患者識別情報に対応付けられた医療関係者識別情報を通知先情報記憶部１３０から取得する。
【００５５】
医療情報格納部１０２は、薬剤師の記憶領域のディレクトリ、すなわち医療関係者識別情報に対応付けられた記憶領域のディレクトリを管理情報記憶部１２０から取得する（ステップＳ６１７）。医療情報格納部１０２は、取得した薬剤師の記憶領域に処方箋情報を格納する（ステップＳ６１８）。なお、薬剤師が担当する患者が複数である場合は、さらに患者ごとのフォルダに格納する。
【００５６】
通知情報生成部１０３は、通知方法と通知先を取得する（ステップＳ６１９）。より具体的には、通知情報生成部１０３は、患者識別情報に対応付けられた、医療関係者への通知方法、通知先情報を通知先情報記憶部１３０から取得する。通知情報生成部１０３は、患者の新たな処方箋情報が格納された旨を記述した通知情報を生成する（ステップＳ６２０）。なお、通知情報には、患者の記憶領域のディレクトリのリンクを加えて記述してもよい。送受信部１０１は、通知先に通知情報を通知方法によって送信する（ステップＳ６２１）。
【００５７】
情報端末装置３００の送受信部３０１は、通知情報を受信する（ステップＳ６２２）。通知情報に患者の記憶領域のディレクトリのリンクが記載されていれば、そのリンクを指示することによって、または、情報端末装置３００において管理する患者の記憶領域のディレクトリに対しアクセスすることによって、患者の記憶領域に記憶する処方箋情報を表示する。
【００５８】
このように、薬局の記憶領域に格納する処方箋情報を患者の記憶領域に格納し、患者の携帯端末装置にダウンロードし患者の携帯端末装置から薬剤師の記憶領域に格納することによって、患者はかかりつけ薬剤師と共有したい処方箋情報を選択し共有することができる。また、薬局以外で入手した検査結果等もかかりつけ薬剤師と共有することができる。
【００５９】
上述した実施例にかかる情報共有サーバ１００、情報端末装置２００、情報端末装置３００、携帯端末装置４００のハードウェア構成は、ＣＰＵ（Central Processing Unit）、ＲＯＭ（Read Only Memory）やＲＡＭ（Random Access Memory）、ＨＤＤ（Hard Disk Drive）等の外部記憶装置、通信制御装置等を備えた通常のコンピュータであり、ＲＯＭやＲＡＭ、ＨＤＤ等に記憶されたプログラムをＣＰＵが読み出し動作させることによって、上述した構成や機能を実現する。
【００６０】
情報共有サーバ１００、情報端末装置２００、情報端末装置３００、携帯端末装置４００で動作するプログラムは、それぞれインターネット等のネットワークＮに接続されたコンピュータ上に格納しておき、ネットワークＮ経由でダウンロードさせることにより提供したり、インストール可能な形式又は実行可能な形式のファイルでＣＤ−ＲＯＭ、ＤＶＤ、ＵＳＢメモリ、ＳＤカード等のコンピュータで読取り可能な記録媒体に記録し提供してもよい。また、上述した機能や処理を実現するプログラムは、ＡＰＩ（Application Programming Interface）やＳａａＳ（Software as a Service）、クラウドコンピューティングという利用形態で提供してもよい。  
【００６１】
なお、本発明は、上述した実施例そのままに限定されるものではなく、必ずしも物理的に図示のように構成されている必要はない。また、本発明は、実施例で説明した構成要素の全部または一部を、各種の負荷や使用状況などに応じ、任意の単位で機能的または物理的に分割、統合、入替、変形または削除して構成することができる。
【符号の説明】
【００６２】
１０…情報共有システム、１００…情報共有サーバ、１０１…送受信部、１０２…医療情報格納部、１０３…通知情報生成部、１０４…医療情報判断部、１１０…医療情報記憶部、１２０…管理情報記憶部、１３０…通知先情報記憶部、２００…情報端末装置、２０１…送受信部、２０２…入出力部、３００…情報端末装置、３０１…送受信部、３０２…入出力部、４００…携帯端末装置、４０１…送受信部、４０２…操作情報生成部、４０３…ＱＲコード読取部、４１０…医療情報記憶部
【図１】
2018018436.tif 000003
【図２】
2018018436.tif 000004
【図３】
2018018436.tif 000005
【図４】
2018018436.tif 000006
【図５】
2018018436.tif 000007
【図６】
2018018436.tif 000008
【図７】
2018018436.tif 000009
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
患者の管理する記憶領域であり、かつ、複数の医療機関が発行した前記患者に関する医療情報を記憶する第１医療情報記憶手段と、
前記患者が自身の医療情報へのアクセスを許可するかかりつけ薬剤師の管理する記憶領域である第２医療情報記憶手段と、
前記患者を識別する患者識別情報と、前記かかりつけ薬剤師を識別するかかりつけ薬剤師識別情報と、前記かかりつけ薬剤師への通知方法と、前記かかりつけ薬剤師の通知先とを対応付けて記憶する通知先情報記憶手段と、
前記かかりつけ薬剤師識別情報と、記憶領域のディレクトリとを対応付けて記憶する管理情報記憶手段と、
前記患者識別情報と、前記医療情報とを受信する受信手段と、
前記受信手段によって受信した前記医療情報を前記第１医療情報記憶手段に格納する第１格納手段と、
前記患者識別情報に対応付けられた前記かかりつけ薬剤師識別情報を前記通知先情報記憶手段から取得し、取得した前記かかりつけ薬剤師識別情報に対応付けられた前記記憶領域のディレクトリを前記管理情報記憶手段から取得し、前記医療情報を複製し前記記憶領域のディレクトリで示す前記第２医療情報記憶手段に格納する第２格納手段と、
前記第２格納手段によって前記医療情報が前記第２医療情報記憶手段に格納されるごとに前記医療情報が前記第２医療情報記憶手段に格納された旨を含む通知情報を生成する通知情報生成手段と、
前記患者識別情報に対応付けられた前記通知方法および前記通知先を前記通知先情報記憶手段から取得し、取得した前記通知先に前記通知情報を前記通知方法によって送信する送信手段と、
を備えることを特徴とする情報共有サーバ。
【請求項２】
薬局の管理する記憶領域である第３医療情報記憶手段、をさらに備え、
前記受信手段は、前記薬局で操作する情報端末装置から送信された、前記患者識別情報と、前記医療情報とを受信し、
前記第１格納手段は、前記受信手段によって受信した前記医療情報を前記第３医療情報記憶手段に格納するとともに、前記医療情報を複製し前記第１医療情報記憶手段に格納すること、を特徴とする請求項１に記載の情報共有サーバ。
【請求項３】
前記受信手段は、前記患者の操作する携帯端末装置でＱＲコードから読み取った前記医療情報を受信すること、を特徴とする請求項１または請求項２に記載の情報共有サーバ。
【請求項４】
前記医療情報が所定の判断基準に合致しているか否かを判断する判断手段、をさらに備え、
前記通知情報生成手段は、前記判断手段によって前記医療情報が所定の判断基準に合致していない場合に、前記判断手段による判断結果を加えた前記通知情報を生成すること、を特徴とする請求項１〜３のいずれか１つに記載の情報共有サーバ。
【請求項５】
患者の操作する携帯端末装置と、前記患者の管理する記憶領域であり、かつ、複数の医療機関が発行した前記患者に関する医療情報を記憶する第１医療情報記憶部と、前記患者が自身の医療情報へのアクセスを許可するかかりつけ薬剤師の管理する記憶領域である第２医療情報記憶部とを備える情報共有サーバと、をネットワークを介して接続する情報共有システムであって、
前記携帯端末装置は、
前記第１医療情報記憶部に記憶する前記医療情報に対するダウンロード要求に応じ、前記医療情報を受信する第１受信手段と、
前記第１受信手段によって受信した前記医療情報と、前記患者を識別する患者識別情報とを、前記第２医療情報記憶部に送信する第１送信手段と、を備え、
前記情報共有サーバは、
前記患者識別情報と、前記かかりつけ薬剤師を識別するかかりつけ薬剤師識別情報と、前記かかりつけ薬剤師への通知方法と、前記かかりつけ薬剤師の通知先とを対応付けて記憶する通知先情報記憶手段と、
前記かかりつけ薬剤師識別情報と、記憶領域のディレクトリとを対応付けて記憶する管理情報記憶手段と、
前記携帯端末装置から前記医療情報と、前記患者識別情報とを受信する第２受信手段と、
前記患者識別情報に対応付けられた前記かかりつけ薬剤師識別情報を前記通知先情報記憶手段から取得し、取得した前記かかりつけ薬剤師識別情報に対応付けられた前記記憶領域のディレクトリを前記管理情報記憶手段から取得し、前記医療情報を複製し前記記憶領域のディレクトリで示す前記第２医療情報記憶部に格納する格納手段と、
前記格納手段によって前記医療情報が前記第２医療情報記憶部に格納されるごとに前記医療情報が前記第２医療情報記憶部に格納された旨を含む通知情報を生成する通知情報生成手段と、
前記患者識別情報に対応付けられた前記通知方法および前記通知先を前記通知先情報記憶手段から取得し、取得した前記通知先に前記通知情報を前記通知方法によって送信する第２送信手段と、
を備えることを特徴とする情報共有システム。
【請求項６】
前記情報共有サーバは、
前記医療情報が所定の判断基準に合致しているか否かを判断する判断手段、をさらに備え、
前記通知情報生成手段は、前記判断手段によって前記医療情報が所定の判断基準に合致していない場合に、前記判断手段による判断結果を加えた前記通知情報を生成すること、を特徴とする請求項５に記載の情報共有システム。
【請求項７】
情報共有サーバで実行される情報共有方法であって、
患者の管理する記憶領域であり、かつ、複数の医療機関が発行した前記患者に関する医療情報を記憶する第１医療情報記憶手段と、
前記患者が自身の医療情報へのアクセスを許可するかかりつけ薬剤師の管理する記憶領域である第２医療情報記憶手段と、
前記患者を識別する患者識別情報と、前記かかりつけ薬剤師を識別するかかりつけ薬剤師識別情報と、前記かかりつけ薬剤師への通知方法と、前記かかりつけ薬剤師の通知先とを対応付けて記憶する通知先情報記憶手段と、
前記かかりつけ薬剤師識別情報と、記憶領域のディレクトリとを対応付けて記憶する管理情報記憶手段と、を備え、
前記患者識別情報と、前記医療情報とを受信する受信ステップと、
前記受信ステップによって受信した前記医療情報を前記第１医療情報記憶手段に格納する第１格納ステップと、
前記患者識別情報に対応付けられた前記かかりつけ薬剤師識別情報を前記通知先情報記憶手段から取得し、取得した前記かかりつけ薬剤師識別情報に対応付けられた前記記憶領域のディレクトリを前記管理情報記憶手段から取得し、前記医療情報を複製し前記記憶領域のディレクトリで示す前記第２医療情報記憶手段に格納する第２格納ステップと、
前記第２格納ステップによって前記医療情報が前記第２医療情報記憶手段に格納されるごとに前記医療情報が前記第２医療情報記憶手段に格納された旨を含む通知情報を生成する通知情報生成ステップと、
前記患者識別情報に対応付けられた前記通知方法および前記通知先を前記通知先情報記憶手段から取得し、取得した前記通知先に前記通知情報を前記通知方法によって送信する送信ステップと、
を含むことを特徴とする情報共有方法。
【請求項８】
患者の操作する携帯端末装置と、前記患者の管理する記憶領域であり、かつ、複数の医療機関が発行した前記患者に関する医療情報を記憶する第１医療情報記憶部と、前記患者が自身の医療情報へのアクセスを許可するかかりつけ薬剤師の管理する記憶領域である第２医療情報記憶部とを備える情報共有サーバとをネットワークを介して接続する情報共有システムで実行される情報共有方法であって、
前記携帯端末装置は、
前記第１医療情報記憶部に記憶する前記医療情報に対するダウンロード要求に応じ、前記医療情報を受信する第１受信ステップと、
前記第１受信ステップによって受信した前記医療情報と、前記患者を識別する患者識別情報とを、前記第２医療情報記憶部に送信する第１送信ステップと、を含み、
前記情報共有サーバは、
前記患者識別情報と、前記かかりつけ薬剤師を識別するかかりつけ薬剤師識別情報と、前記かかりつけ薬剤師への通知方法と、前記かかりつけ薬剤師の通知先とを対応付けて記憶する通知先情報記憶手段と、
前記かかりつけ薬剤師識別情報と、記憶領域のディレクトリとを対応付けて記憶する管理情報記憶手段と、を備え、
前記携帯端末装置から前記医療情報と、前記患者識別情報とを受信する第２受信ステップと、
前記患者識別情報に対応付けられた前記かかりつけ薬剤師識別情報を前記通知先情報記憶手段から取得し、取得した前記かかりつけ薬剤師識別情報に対応付けられた前記記憶領域のディレクトリを前記管理情報記憶手段から取得し、前記医療情報を複製し前記記憶領域のディレクトリで示す前記第２医療情報記憶手段に格納する格納ステップと、
前記格納ステップによって前記医療情報が前記第２医療情報記憶部に格納されるごとに前記医療情報が前記第２医療情報記憶部に格納された旨を含む通知情報を生成する通知情報生成ステップと、
前記患者識別情報に対応付けられた前記通知方法および前記通知先を前記通知先情報記憶手段から取得し、取得した前記通知先に前記通知情報を前記通知方法によって送信する第２送信ステップと、
を含むことを特徴とする情報共有方法。
【請求項９】
患者の管理する記憶領域であり、かつ、複数の医療機関が発行した前記患者に関する医療情報を記憶する第１医療情報記憶手段と、
前記患者が自身の医療情報へのアクセスを許可するかかりつけ薬剤師の管理する記憶領域である第２医療情報記憶手段と、
前記患者を識別する患者識別情報と、前記かかりつけ薬剤師を識別するかかりつけ薬剤師識別情報と、前記かかりつけ薬剤師への通知方法と、前記かかりつけ薬剤師の通知先とを対応付けて記憶する通知先情報記憶手段と、
前記かかりつけ薬剤師識別情報と、記憶領域のディレクトリとを対応付けて記憶する管理情報記憶手段と、を備える情報共有サーバに、
前記患者識別情報と、前記医療情報とを受信する受信ステップと、
前記受信ステップによって受信した前記医療情報を前記第１医療情報記憶手段に格納する第１格納ステップと、
前記患者識別情報に対応付けられた前記かかりつけ薬剤師識別情報を前記通知先情報記憶手段から取得し、取得した前記かかりつけ薬剤師識別情報に対応付けられた前記記憶領域のディレクトリを前記管理情報記憶手段から取得し、前記医療情報を複製し前記記憶領域のディレクトリで示す前記第２医療情報記憶手段に格納する第２格納ステップと、
前記第２格納ステップによって前記医療情報が前記第２医療情報記憶手段に格納されるごとに前記医療情報が前記第２医療情報記憶手段に格納された旨を含む通知情報を生成する通知情報生成ステップと、
前記患者識別情報に対応付けられた前記通知方法および前記通知先を前記通知先情報記憶手段から取得し、取得した前記通知先に前記通知情報を前記通知方法によって送信する送信ステップと、
を実行させることを特徴とする情報共有プログラム。
【請求項１０】
患者の操作する携帯端末装置と、前記患者の管理する記憶領域であり、かつ、複数の医療機関が発行した前記患者に関する医療情報を記憶する第１医療情報記憶部と、前記患者が自身の医療情報へのアクセスを許可するかかりつけ薬剤師の管理する記憶領域である第２医療情報記憶部とを備える情報共有サーバとをネットワークを介して接続する情報共有システムであって、
前記携帯端末装置に、
前記第１医療情報記憶部に記憶する前記医療情報に対するダウンロード要求に応じ、前記医療情報を受信する第１受信ステップと、
前記第１受信ステップによって受信した前記医療情報と、前記患者を識別する患者識別情報とを、前記第２医療情報記憶部に送信する第１送信ステップと、実行させ、
前記患者識別情報と、前記かかりつけ薬剤師を識別するかかりつけ薬剤師識別情報と、前記かかりつけ薬剤師への通知方法と、前記かかりつけ薬剤師の通知先とを対応付けて記憶する通知先情報記憶手段と、
前記かかりつけ薬剤師識別情報と、記憶領域のディレクトリとを対応付けて記憶する管理情報記憶手段と、を備える前記情報共有サーバに、
前記携帯端末装置から前記医療情報と、前記患者識別情報とを受信する第２受信ステップと、
前記患者識別情報に対応付けられた前記かかりつけ薬剤師識別情報を前記通知先情報記憶手段から取得し、取得した前記かかりつけ薬剤師識別情報に対応付けられた前記記憶領域のディレクトリを前記管理情報記憶手段から取得し、前記医療情報を複製し前記記憶領域のディレクトリで示す前記第２医療情報記憶部に格納する格納ステップと、
前記格納ステップによって前記医療情報が前記第２医療情報記憶部に格納されるごとに前記医療情報が前記第２医療情報記憶部に格納された旨を含む通知情報を生成する通知情報生成ステップと、
前記患者識別情報に対応付けられた前記通知方法および前記通知先を前記通知先情報記憶手段から取得し、取得した前記通知先に前記通知情報を前記通知方法によって送信する第２送信ステップと、
を実行させることを特徴とする情報共有プログラム。
【手続補正２】
【補正対象書類名】明細書
【補正対象項目名】０００６
【補正方法】変更
【補正の内容】
【０００６】
上述した課題を解決するために、本発明では、患者識別情報と、医療情報とを受信し、受信した医療情報を第１医療情報記憶手段に格納し、患者識別情報に対応付けられたかかりつけ薬剤師識別情報を通知先情報記憶手段から取得し、取得したかかりつけ薬剤師識別情報に対応付けられた記憶領域のディレクトリを管理情報記憶手段から取得し、医療情報を複製し記憶領域のディレクトリで示す第２医療情報記憶手段に格納し、医療情報が第２医療情報記憶手段に格納されるごとに医療情報が第２医療情報記憶手段に格納された旨を含む通知情報を生成し、患者識別情報に対応付けられた通知方法および通知先を通知先情報記憶手段から取得し、取得した通知先に通知情報を通知方法によって送信することを特徴とする。
【手続補正３】
【補正対象書類名】明細書
【補正対象項目名】０００７
【補正方法】変更
【補正の内容】
【０００７】
また、本発明の他の態様では、携帯端末装置は、第１医療情報記憶部に記憶する医療情報に対するダウンロード要求に応じ、医療情報を受信し、受信した医療情報と、患者を識別する患者識別情報とを、第２医療情報記憶部に送信し、情報共有サーバは、携帯端末装置から医療情報と、患者識別情報とを受信し、患者識別情報に対応付けられたかかりつけ薬剤師識別情報を通知先情報記憶手段から取得し、取得したかかりつけ薬剤師識別情報に対応付けられた記憶領域のディレクトリを管理情報記憶手段から取得し、医療情報を複製し記憶領域のディレクトリで示す第２医療情報記憶部に格納し、医療情報が第２医療情報記憶部に格納されるごとに医療情報が第２医療情報記憶部に格納された旨を含む通知情報を生成し、患者識別情報に対応付けられた通知方法および通知先を通知先情報記憶手段から取得し、取得した通知先に通知情報を通知方法によって送信することを特徴とする。